(57)【要約】【課題】  本発明は、ピンやチェーン等を保持する弾性保持部材の球体からの抜け出しを防ぐとともに、球体の耐久性を確保できる球状宝飾品を提供することにある。【解決手段】  球体１にピン９やチェーン等を挿通する挿通孔２を有する球状宝飾品であって、球体１と弾性保持部材４を備えており、弾性保持部材４は筒状をなし、球体１は、挿通孔２の孔外周部の一部に窪み３または溝部７が設けてあり、弾性保持部材４を挿通孔２に圧入したときに、弾性保持部材４の一部が窪み３または溝部７に食い込み、弾性保持部材４を挿通孔２からの抜け出し方向に係止することを特徴とする。【選択図】      図１
2017070511.tif 000002
【特許請求の範囲】
【請求項１】
球体にピンやチェーンを挿通する挿通孔を有する球状宝飾品であって、
球体と弾性保持部材を備えており、弾性保持部材は筒状をなし、球体は、挿通孔の孔外周部の一部に窪みまたは溝部が設けてあり、弾性保持部材を挿通孔に圧入したときに、弾性保持部材の一部が窪みまたは溝部に食い込み、弾性保持部材を挿通孔からの抜け出し方向に係止することを特徴とする球状宝飾品。
【請求項２】
球体にピンを差し込む非貫通の差込穴を有する球状宝飾品であって、
球体と弾性保持部材を備えており、弾性保持部材は筒状をなし、球体は、挿通穴の穴外周部の一部に窪みまたは溝部が設けてあり、弾性保持部材を差込穴に圧入したときに、弾性保持部材の一部が窪みまたは溝部に食い込み、弾性保持部材を差込穴からの抜け出し方向に係止することを特徴とする球状宝飾品。
【請求項３】
球体は、挿通孔または差込穴の開口縁にテーパが設けてあることを特徴とする請求項１又は２記載の球状宝飾品。
【発明の詳細な説明】
【技術分野】
【０００１】
本発明は、ネックレスやピアスを構成する球状宝飾品に関するものである。
【背景技術】
【０００２】
ネックレスやブレスレット、ピアスなどの装身具を構成するものとして、球状宝飾品がある。このような球状宝飾品は、ピンやチェーン等が挿通される挿通孔を有しており、この挿通孔には、ピンやチェーン等を保持するチューブ状の弾性保持部材が取り付けてある。この弾性保持部材の弾性により挿通されるピンやチェーン等を保持し、球状宝飾品を位置決めするものであった。
【先行技術文献】
【特許文献】
【０００３】
特開２００１−３４６６１５号公報
【発明の概要】
【発明が解決しようとする課題】
【０００４】
上記のような球状宝飾品は、中空の内部または中実の球体２１の内部を削り、その切削箇所に弾性保持部材２３を入れる構造であり、例えば図７（ａ）のように、弾性保持部材２３を圧入して圧縮した後の弾性復帰によって球体２１の内部に配置されるもの。さらに、図７（ｂ）のように、球体２１の内部を挿通孔２２よりも大きく刳り貫いて、弾性保持部材２４をそのまま収容する構造のもの等があった。しかしながら、弾性保持部材２４を圧入しただけでは、球状宝飾品を適用した装身具を使用したときに、球体２１の挿通孔２２へピンやチェーン等の抜き差しで弾性保持部材２４が不意に抜け出す問題があった。さらに、球体２１の内部に弾性保持部材２４をそのまま収容する構造とした場合、球体２１内に大きな間隙を形成することになり、球体２１の耐久性を損ねる問題点があった。
本発明は、上記課題を鑑みてなされたものであり、ピンやチェーン等を保持する弾性保持部材の球体からの抜け出しを防ぐとともに、球体の耐久性を確保できる球状宝飾品を提供することにある。
【課題を解決するための手段】
【０００５】
本発明のうち請求項１記載の発明は、球体にピンやチェーン等を挿通する挿通孔を有する球状宝飾品であって、球体と弾性保持部材を備えており、弾性保持部材は筒状をなし、球体は、挿通孔の孔外周部の一部に窪みまたは溝部が設けてあり、弾性保持部材を挿通孔に圧入したときに、弾性保持部材の一部が窪みまたは溝部に食い込み、弾性保持部材を挿通孔からの抜け出し方向に係止することを特徴とする。
【０００６】
本発明のうち請求項２記載の発明は、球体にピンを差し込む非貫通の差込穴を有する球状宝飾品であって、球体と弾性保持部材を備えており、弾性保持部材は筒状をなし、球体は、差込穴の穴外周部の一部に窪みまたは溝部が設けてあり、弾性保持部材を差込穴に圧入したときに、弾性保持部材の一部が窪みまたは溝部に食い込み、弾性保持部材を差込穴からの抜け出し方向に係止することを特徴とする。
【０００７】
本発明のうち請求項３記載の発明は、球体は、挿通孔または差込穴の開口縁にテーパが設けてあることを特徴とする。
【発明の効果】
【０００８】
本発明のうち請求項１記載の発明によれば、中実の球体の内部に弾性保持部材を圧入する挿通孔を設けるとともに、挿通孔の外周部の任意の箇所に弾性保持部材よりも小さい窪みを設けてある。これにより、挿通孔に圧入された弾性保持部材の一部が上記の窪みに入り込み、弾性保持部材が球体の内部に引っ掛かる状態となる。したがって、挿通孔の大きさを最小限に抑えて球体内部から弾性保持部材を抜け出さない構造とできることから、耐久性の高い球状宝飾品を製造できる。
【０００９】
本発明のうち請求項２記載の発明によれば、球体を貫通しない浅い差込穴であっても、差込穴の穴外周部に窪みや溝部を設けることで、圧入した弾性保持部材の一部が窪みや溝部に食い込み、ピンを差し込んでも弾性保持部材が差込穴の抜け出し方向に係止されるので、装身具を使用したときも弾性保持部材の不意な抜け出しが防がれる。
【００１０】
本発明のうち請求項３記載の発明によれば、球体の挿通孔または差込穴の開口縁にテーパが設けてあることにより、ピンやチェーン等を挿通孔または差込穴に差し込んだときに、弾性保持部材の一部が差込穴の穴開口縁のテーパの箇所に係止することで、それ以上の弾性保持部材の押込みが防止される。これにより、球体の加工を最小限に抑えることができるので、装身具の使用時の弾性保持部材の抜け出し防止と、球体の耐久性の確保を両立できる球状宝飾品を提供できる。
【図面の簡単な説明】
【００１１】
【図１】本実施による球状宝飾品の（ａ）は、縦断面図であり、（ｂ）は、（ａ）中Ａを拡大した縦断面図である。
【図２】（ａ）〜（ｃ）は、本実施による球状宝飾品の球体に弾性保持部材が圧入される手順を示す縦断面図である。
【図３】（ａ）は、本実施による球状宝飾品の球体の挿通孔にピンを挿入したときの作用状態を示す縦断面図であり、（ｂ）は、（ａ）中Ｂを拡大して示す縦断面図である。
【図４】（ａ）〜（ｃ）は、本発明の他の実施形態であり、球状宝飾品の球体に弾性保持部材が圧入される手順を示す縦断面図である。
【図５】本発明の他の実施形態を示す縦断面図である。
【図６】（ａ）〜（ｃ）は、本発明の他の実施形態としてピアスを挙げるものであり、球状宝飾品の球体に弾性保持部材が圧入される手順を示す縦断面図である。
【図７】（ａ）（ｂ）は、従来の球状宝飾品を示す縦断面図である。
【発明を実施するための形態】
【００１２】
以下に、図面に基づいて本実施による球状宝飾品を説明する。
球状宝飾品は、図１（ａ）のように、本実施では真珠（球体）１を使用している。また、真珠１には挿通孔２が設けてあり、挿通孔２は、真珠１の中心を貫通している。また、真珠１の挿通孔２には、図１（ｂ）のように、挿通方向に間隔をあけた二箇所に、挿通孔２の外周部の全周にわたって連続する窪み３が設けてある。弾性保持部材４は、弾性保持部材を素材として筒状に形成したものである。また、弾性保持部材４の筒孔５にはピン９が挿入されることで弾性的な保持が可能である。
【００１３】
次に、真珠（球体）１の挿通孔２に弾性保持部材４を圧入したときの状態については、図２（ａ）〜（ｃ）に基づいて説明するものである。
真珠１の挿通孔２に弾性保持部材４を圧入したときに、弾性保持部材４の一部が圧入時の圧縮からの弾性復帰によって挿通孔２の外周部に設けてある窪み３に食い込む。これにより、弾性保持部材４は、圧入した後の圧縮からの弾性復帰による真珠１内への押圧力と、窪み３に入り込んだ弾性保持部材４の一部が係止する。
【００１４】
上記のように形成した本実施による球状宝飾品は、以下に示す作用、効果を奏することになる。
真珠１の挿通孔２の一部にのみ窪み３を設けるだけで、弾性保持部材４の一部が入り込んで真珠１の内部で係止される。これにより、真珠１の内部に挿通孔２以外の箇所に最小限の加工を施すのみで弾性保持部材４を内部に留めることができるので、真珠１の耐久性を確保できる。さらに、弾性保持部材４の一部が窪みに緊密な状態で係止することから、真珠１から弾性保持部材４が抜け出しにくくなり、図３（ａ）（ｂ）のように、本実施による球状宝飾品を適用した装身具の使用時、ピン９を真珠の挿通孔に圧入された弾性保持部材４に挿入したときに、弾性保持部材４が真珠１の挿通孔２から不意に外れることがなくなる。
【００１５】
本発明の他の実施形態として図４（ａ）のように、球体１の挿通孔２の外周部にらせん状の溝部７を設けたものである。このように形成しても、球体１の挿通孔２に弾性保持部材４を圧入したときに、弾性保持部材４の外周部がらせん状の溝部７に入り込み、弾性保持部材４の一部が食い込み、その弾性保持部材４の食い込んだ各部が球体１の挿通孔２の外周部に係止し、本実施による球状宝飾品を適用した装身具を使用した時に、図４（ｂ）（ｃ）のように、ピン９を抜き差ししても球体１の挿通孔２から弾性保持部材４が抜け出しにくくなる。また、球体１は、上記の真珠１のように内部が中実で一体的なものの他、図５のように、中空の球体１の内部に別の芯材１１が入るものでもよく、この場合には、別の芯材１１に挿通孔２をあけるとともに、その挿通孔２の外周部に窪み３や溝部７を設けることで、真珠１に代表される内部が一体的な中実の球体１と同じように、挿通孔２からの弾性保持部材４を抜け出し不能な構造とできる。さらに、図６（ａ）（ｂ）は、本発明の他の実施形態としてピアスに適用したものである。このピアスは、球体１として真珠１を使用しており、真珠１の中心よりやや深い位置まで差込穴８を設けてある。さらに、差込穴８の穴外周部に窪み３を設け、その差込穴８に弾性保持部材４を圧入することにより、弾性保持部材４が圧入して圧縮された状態から弾性復帰して一部が窪み３に食い込む。これにより、弾性保持部材４が真珠１の内部に係止し、ピン９を差込穴８に差し込んだときに、真珠１の挿通孔２から弾性保持部材４が抜け出しにくい構造となる。
【００１６】
本発明による球状装飾品は、上記の各実施形態では球体１の挿通孔２や差込穴８の外周部の一部に窪み３を設けたものと、らせん状の溝部７を設けたものについて記載したが、本願に記載する特許請求の範囲内であれば、上記した窪み３や溝部７の形状や大きさ、深さ等については自由に変更できる。また、球体１についても、上記実施形態で挙げた真珠１のように内部が中実のものや、図５のように、中空で球状をなす外殻１２の内部に芯材１１が入るものの他、素材や大きさ等を限定するものではない。さらに、挿通孔２や差込穴８の大きさや孔開口の形状についても上記実施形態のようなほぼ円形のものの他、楕円形状や多角形状のものでもよく、ピン９やチェーン等を抜き差しして弾性保持部材４に保持させることができれば限定しない。また、本願発明は球状宝飾品を適用する装身具であれば、上記で挙げたネックレスやピアスの他にも適用できる。
【符号の説明】
【００１７】
１  球体
２  挿通孔
３  窪み
４  弾性保持部材
５  筒孔
７  溝部
８  差込穴
９  ピン
１１  芯材
【図１】
2017070511.tif 000003
【図２】
2017070511.tif 000004
【図３】
2017070511.tif 000005
【図４】
2017070511.tif 000006
【図５】
2017070511.tif 000007
【図６】
2017070511.tif 000008
【図７】
2017070511.tif 000009